(57)【要約】      （修正有）【課題】植物の種類、成長の度合いに応じた最適な位置に照明装置を容易に配置させる照明配置装置を提供する。【解決手段】ビニルハウス９００の内部で栽培される植物７００の種類、成長の度合いに応じて照明装置８１０を所望の位置に配置させる照明配置装置１００は、照明保持部１０と、吊り下げ部２０とを備える。照明保持部１０は、照明装置を保持するものであり、基材部１１と、固定部１２とを備える。基材部は、照明装置を自身に沿わせるものであり、固定部は、基材部に照明装置を固定するものである。吊り下げ部２０は、一端が照明保持部１０に連結され、他端をビニルハウス内のワイヤ９１０に取り付けてワイヤから照明保持部１０を吊り下げるものである。【選択図】図１
0003201212.tif 000002
【実用新案登録請求の範囲】
【請求項１】
複数の照明を等間隔及び／又は不等間隔に列状に並べて接続される照明装置を所定位置に配置させる照明配置装置であって、
前記照明装置を保持する照明保持部と、
一端が前記照明保持部に連結され、他端を所望の位置に取り付けることにより前記照明保持部を前記所望の位置から吊り下げる吊り下げ部と、
を備えることを特徴とする、
照明配置装置。
【請求項２】
前記照明保持部は、
前記照明装置を自身に沿わせる基材部と、
前記基材部に前記照明装置を固定する固定部と、
を備えることを特徴とする、
請求項１に記載の照明配置装置。
【請求項３】
前記基材部は、前記照明装置の背面を支持する照明支持面を有し、
前記固定部は、前記照明支持面に複数配置され、前記照明装置における隣り合う前記照明の間部分と係合可能なフック部材を有することを特徴とする、
請求項２に記載の照明配置装置。
【請求項４】
複数配置される前記フック部材の間隔は、前記照明の配置ピッチの整数倍に設定されることを特徴とする、
請求項３に記載の照明配置装置。
【請求項５】
前記フック部材は、塑性変形可能に構成され、
前記フック部材に前記照明装置が係合されて、前記フック部材を塑性変形させて前記照明支持面に押さえつけることを特徴とする、
請求項３及び４のいずれかに記載の照明配置装置。
【請求項６】
前記照明保持部は、少なくとも前記照明装置の長手方向の外周面を囲み、その外周面の一部が開放された筒形状の筒部材であることを特徴とする、
請求項１乃至５に記載の照明配置装置。
【請求項７】
前記吊り下げ部は、前記照明保持部を前記所望の位置から吊り下げた際に、前記照明保持部の前記照明支持面に対して略直角方向を向くように一端が前記照明保持部に連結されることを特徴とする、
請求項１乃至６に記載の照明配置装置。
【請求項８】
前記吊り下げ部は、前記照明保持部を前記所望の位置から吊り下げた際に、前記照明保持部の前記照明支持面と略平行になるように一端が前記照明保持部に連結されることを特徴とする、
請求項１乃至６に記載の照明配置装置。
【請求項９】
前記照明保持部を前記吊り下げ部の長さ方向へ複数吊り下げて前記照明保持部を多段構成にしたことを特徴とする、
請求項１乃至８に記載の照明配置装置。
【請求項１０】
前記吊り下げ部は、吊り下げ長さを調整可能な長さ調整部を備えることを特徴とする、
請求項１乃至９に記載の照明配置装置。
【請求項１１】
前記長さ調整部は、前記吊り下げ部を巻き取り・巻き出しすることにより長さを調整することを特徴とする、
請求項１０に記載の照明配置装置。
【請求項１２】
前記長さ調整部は、回転装置の回転軸に取り付けられ、その回転装置の回転により前記吊り下げ部を巻き取り・巻き出しすることを特徴とする、
請求項１１に記載の照明配置装置。
【請求項１３】
請求項１乃至１２に記載の照明配置装置を植物栽培室内に取り付けたことを特徴とする、
植物栽培装置。
【考案の詳細な説明】
【技術分野】
【０００１】
本考案は、照明装置を所望の位置に配置させる照明配置装置、及び、その照明配置装置を備えた植物栽培装置に関する。
【背景技術】
【０００２】
近年、年間を通して様々な季節野菜を安定供給することを目的として、様々な季節野菜がビニルハウス等により温室栽培されている。季節野菜の品質を向上させるため、温室栽培においてビニルハウス内の温度や野菜へ照射される光量等の条件がコントロールされる。ビニルハウス内で栽培される野菜へ照射する光源として、白色発光ダイオードと赤色発光ダイオードとを光源する植物栽培方法が提案されている（例えば、特許文献１参照）。
【先行技術文献】
【特許文献】
【０００３】
【特許文献１】特開２０１０−１３０９８６号公報
【考案の概要】
【考案が解決しようとする課題】
【０００４】
発光ダイオード（以下、ＬＥＤと呼ぶ。）で構成されるＬＥＤ照明装置を光源として季節野菜等に光を照射して栽培することは好ましいが、ＬＥＤ照明装置をビニルハウス内全体に配置させることは高コストになる。理想としては、季節野菜等の種類、成長の度合いに応じてＬＥＤ照明装置を最適な位置に配置させることが好ましい。
【０００５】
本考案は、斯かる実情に鑑み、季節野菜等の植物の種類、成長の度合いに応じた最適な位置に照明装置を容易に配置させる照明配置装置、及び、その照明配置装置を備えた植物栽培装置を提供しようとするものである。
【課題を解決するための手段】
【０００６】
本考案は、上記課題を解決するためのものであり、本考案の照明配置装置は、複数の照明を等間隔及び／又は不等間隔に列状に並べて接続される照明装置を所定位置に配置させる照明配置装置であって、上記照明装置を保持する照明保持部と、一端が上記照明保持部に連結され、他端を所望の位置に取り付けることにより上記照明保持部を上記所望の位置から吊り下げる吊り下げ部と、を備えることを特徴とする。
【０００７】
また、本考案の照明配置装置において、上記照明保持部は、上記照明装置を自身に沿わせる基材部と、上記基材部に上記照明装置を固定する固定部と、を備えることを特徴とする。
【０００８】
また、本考案の照明配置装置において、上記基材部は、上記照明装置の背面を支持する照明支持面を有し、上記固定部は、上記照明支持面に複数配置され、上記照明装置における隣り合う上記照明の間部分と係合可能なフック部を有することを特徴とする。
【０００９】
また、本考案の照明配置装置において、複数配置される上記フック部の間隔は、上記照明の配置ピッチの整数倍に設定されることを特徴とする。
【００１０】
また、本考案の照明配置装置において、上記フック部は、塑性変形可能に構成され、上記フック部材に上記照明装置が係合されて、上記フック部材を塑性変形させて上記照明支持面に押さえつけることを特徴とする。
【００１１】
また、本考案の照明配置装置において、上記照明保持部は、少なくとも上記照明装置の長手方向の外周面を囲み、その外周面の一部が開放された筒形状の筒部材であることを特徴とする。
【００１２】
また、本考案の照明配置装置において、上記吊り下げ部は、上記照明保持部を上記所望の位置から吊り下げた際に、上記照明保持部の上記照明支持面に対して略直角方向を向くように一端が上記照明保持部に連結されることを特徴とする。
【００１３】
また、本考案の照明配置装置において、上記吊り下げ部は、上記照明保持部を上記所望の位置から吊り下げた際に、上記照明保持部の上記照明支持面と略平行になるように一端が上記照明保持部に連結されることを特徴とする。
【００１４】
また、本考案の照明配置装置は、上記照明保持部を上記吊り下げ部の長さ方向へ複数吊り下げて上記照明保持部を多段構成にしたことを特徴とする。
【００１５】
また、本考案の照明配置装置は、上記吊り下げ部は、吊り下げ長さを調整可能な長さ調整部を備えることを特徴とする。
【００１６】
また、本考案の照明配置装置は、上記長さ調整部は、上記吊り下げ部を巻き取り・巻き出しすることにより長さを調整することを特徴とする。
【００１７】
また、本考案の照明配置装置は、上記長さ調整部は、回転装置の回転軸に取り付けられ、その回転装置の回転により上記吊り下げ部を巻き取り・巻き出しすることを特徴とする。
【００１８】
また、本考案の植物栽培装置は、上記に記載の照明配置装置を植物栽培室内に取り付けたことを特徴とする。
【考案の効果】
【００１９】
本考案の照明配置装置、及び植物栽培装置によれば、植物の種類、成長の度合いに応じた最適な位置に照明装置を容易に配置させることができるという優れた効果を奏し得る。
【図面の簡単な説明】
【００２０】
【図１】本考案の実施の形態における照明配置装置１００を使用するビニルハウス９００の内部の様子を示す図である。
【図２】本考案の実施の形態における照明配置装置１００を示す図である。
【図３】本考案の別の実施の形態における照明配置装置２００を示す図である。
【図４】本考案の別の実施の形態における照明配置装置３００を示す図である。
【図５】照明配置装置３００を植物７００へ用いた様子を示す図である。
【図６】本考案の別の実施の形態における照明配置装置４００を示す図である。
【図７】本考案の別の実施の形態における照明配置装置５００を示す図である。
【図８】本考案の別の実施の形態における照明配置装置６００を示す図である。
【図９】照明装置８３０を照明配置装置１００、及び照明配置装置６００に取り付けた様子を示す図である。
【考案を実施するための形態】
【００２１】
以下、本考案の実施の形態を添付図面を参照して説明する。
【００２２】
＜１．照明配置装置の全体概要について＞
図１は、本考案の実施の形態における照明配置装置１００を使用するビニルハウス９００の内部の様子を示す図である。図１においてビニルハウス９００の内部で栽培される植物７００に対して、上方から照明装置８１０により光を照射している。植物７００の種類、成長の度合いに応じて照明装置８１０が最適な位置に配置されることが好ましい。本考案の照明配置装置１００は、照明装置８１０を所望の位置に配置させるものである。
【００２３】
以下において説明する照明配置装置１００以外の本考案の照明配置装置２００〜６００も照明配置装置１００と同様に、照明装置を所望の位置に配置させるものである。また、照明配置装置１００以外の本考案の照明配置装置２００〜６００も図１における照明配置装置１００と同様にビニルハウス９００内の植物７００に対して使用することが一例として想定される。以上が本考案の照明配置装置の全体概要である。以下において、各照明配置装置１００〜６００について順次説明する。
【００２４】
＜２．照明配置装置１００について＞
＜２−１．照明配置装置１００の構成＞
図２は、本考案の実施の形態における照明配置装置１００を示す図である。図２（ａ）は、照明装置８１０を照明配置装置１００に取り付ける直前の様子を示す図である。また、図２（ｂ）は、照明装置８１０を照明配置装置１００に取り付けた様子を示す図である。本考案の実施の形態における照明配置装置１００は、照明装置８１０を所望の位置に配置させるものであり、照明保持部１０と、吊り下げ部２０とを備える。
【００２５】
＜２−２．照明装置８１０の構成＞
まず、照明装置８１０について説明する。照明装置８１０は、図２（ａ）に示すように、照明８１１〜８１４を等間隔に列状に並べて、隣り合う照明同士を接続したものである。したがって、照明装置８１０は、照明が列状に並んでいれば、直線状でも曲線状でもその他の態様で並んでいてもよい。また、照明装置８１０は、列状に並んでいれば、１列でも複数列であってもよい。その照明８１１〜８１４は、それぞれ直方体形状ケース８１０ａに４つのＬＥＤ８１０ｂ〜８１０ｅを備えた態様をしている。そして、直方体形状ケース８１０ａの平面８１０ｆから４つのＬＥＤに光が照射されるよう４つのＬＥＤが配置される。上記４つのＬＥＤのうち３つが赤色ＬＥＤで、一つが青色ＬＥＤとすることが好ましい。なお、図２（ａ）では照明８１１〜８１４のみしか図示していないが、照明装置８１０はさらに複数の照明を備える構成であってもよい。
【００２６】
照明装置８１０は、隣り合う照明同士をそれぞれ電線８１５で接続して、全体として列状の照明装置となっている。なお、照明８１１〜８１４はそれぞれ等間隔に配置されているが、これに限るものではなく、不等間隔に配置されていても、等間隔及び不等間隔が混在した配置であってもよい。
【００２７】
＜２−３．照明保持部１０について＞
照明保持部１０は、照明装置８１０を保持するものである。具体的に、照明保持部１０は、基材部１１と、固定部１２とを備える。基材部１１は、照明装置８１０を自身に沿わせるものである。図２（ａ）に示すように、照明装置８１０は各照明同士が電線８１５のみにより接続されているため、電線８１５がよじれる等して照明８１１〜８１４は様々な方向へ向いてしまう不安定な状態にある。このため、照明装置８１０を基材部１１に沿わせて固定すれば、照明８１１〜８１４は所定方向へ向かせることができ、安定した状態になる。
【００２８】
基材部１１として、例えば、板状部材１１ａが一例として想定される。この場合、板状部材１１ａの長手方向に沿って照明装置８１０の背面（４つのＬＥＤからの照射がない側の面）を板状部材１１ａの一方の平面である照明支持面１１ｂ上で支持又は接触させる。これにより、照明装置８１０は板状部材１１ａに沿った態様になる。なお、基材部１１は、板状部材に限るものではなく、その他の態様の部材であってもよい。すなわち、基材部１１は、上記説明したように、複数の照明を所望の方向へ安定して向かせることができれば、いかなる態様であってもよい。
【００２９】
また、固定部１２は、基材部１１に照明装置８１０を固定するものである。照明装置８１０を基材部１１に沿わせた状態を維持するために、固定部１２は、照明装置８１０を基材部１１に沿わせた状態で固定する。そして、固定部１２は、例えば、照明装置８１０を基材部１１に沿わせる部分に設けられる。
【００３０】
固定部１２として、例えば、フック状のフック部材１３が一例として想定される。フック部材１３は、塑性変形可能に構成されることが一例として想定される。すなわち、フック部材１３全体は、塑性変形可能な材質で形成されることが一例として想定される。フック部材１３は、板状部材１１ａの長手方向に沿って照明支持面１１ｂ上に配置される。また、フック部材１３は、照明装置８１０における隣り合う照明の間部分と係合可能である。なお、フック部材１３が複数配置される場合、隣り合うフック部材１３の間隔は、照明の配置ピッチの整数倍に設定される。
【００３１】
照明装置８１０を照明配置装置１００に取り付ける場合、まず、フック部材１３に電線８１５を係合させる。具体的には、フック部材１３と板状部材１１ａとの間に電線８１５を挿入する。その状態で、フック部材１３に対して図２（ａ）示す矢印Ａ方向へ外力を加える。フック部材１３は板状部材１１ａへ向かって塑性変形する。そして、電線８１５は、図２（ｂ）示すように、フック部材１３により照明支持面１１ｂに押し付けられ、フック部材１３と板状部材１１ａとに挟み込まれた状態になる。これにより、照明装置８１０は、照明保持部１０に固定される。
【００３２】
＜２−４．吊り下げ部２０について＞
吊り下げ部２０は、一端が照明保持部１０に連結され、他端を所望の位置に取り付けることにより、所望の位置から照明保持部１０を吊り下げるものである。吊り下げ部２０については、以下図１を用いてさらに説明する。
【００３３】
吊り下げ部２０は、図１に示すように、照明保持部１０に一端が連結され、他端がビニルハウス９００の内部に設けられたワイヤ９１０に取り付けられている。そして、吊り下げ部２０は、照明装置８１０の照明方向が鉛直下方を向くような態様で、照明保持部１０をワイヤ９１０から吊り下げている。
【００３４】
吊り下げ部２０は、例えば、吊り下げ部材２１と、連結部材２２とで構成される。吊り下げ部材２１は、例えば、紐状の部材、直線状の部材等が一例として想定されるが、これに限るものではなく、その他の態様のものであってもよい。紐状の部材として，例えば、鉄索、鋼索等のワイヤや、強度の高いロープのようなものが一例として想定される。また、直線状の部材として、例えば、金属製又は樹脂製の棒部材が一例として想定される。なお、紐状の部材、及び直線状の部材は、これらに限るものではなく、照明保持部１０を吊り下げ可能な強度があればその他の態様のものであってもよい。また、直線状の部材は、伸縮自在な機構を備えたものであってもよい。
【００３５】
連結部材２２は、吊り下げ部材２１の一端を照明保持部１０に連結するものである。連結部材２２は、例えば、照明保持部１０の照明装置８１０が固定される照明支持面の裏面である照明支持裏面１１ｃに設けられる。そして、吊り下げ部材２１は、照明配置装置１００を所望の位置に吊り下げた際に照明保持部１０の照明支持裏面１１ｃに対して略直角方向を向くように連結部材２２に取り付ける。
【００３６】
具体的に、連結部材２２は、基材部１１（板状部材１１ａ）の照明支持裏面１１ｃにおいて、基材部１１（板状部材１１ａ）の幅方向を架け渡す態様の部材が一例として挙げられる。この場合、吊り下げ部材２１は、図１に示すように、連結部材２２の架け渡し部分の中央部に取り付ける。このようにすれば、照明配置装置１００を所望の位置に吊り下げた際に、照明装置８１０の照明方向が鉛直下方を向く。
【００３７】
なお、吊り下げ部材２１を照明保持部１０に取り付けるのに、連結部材２２のように別途専用部材を設けなくてもよい。吊り下げ部材２１が連結される連結穴を照明保持部１０に直接設けてその連結穴に吊り下げ部材２１を差し込んで抜けないようにすれば、吊り下げ部材２１を照明保持部１０に連結させることができる。
【００３８】
＜３．照明配置装置２００について＞
図３は、本考案の別の実施の形態における照明配置装置２００を示す図である。照明配置装置２００は、照明装置８１０を所望の位置に配置させるものであり、照明保持部２１０と、吊り下げ部２２０とを備える。照明保持部２１０は、照明保持部１０と同様のものであり、既に説明済みであるため、その説明を省略する。
【００３９】
＜３−１．吊り下げ部２２０と吊り下げ部２０との相違点＞
吊り下げ部２２０と吊り下げ部２０とは、一端がそれぞれ照明保持部２１０、照明保持部１０に連結され、他端を所望の位置に取り付けることにより、所望の位置から照明保持部２１０、照明保持部１０を吊り下げるものである点で共通する。吊り下げ部２２０と吊り下げ部２０との相違点は、照明保持部１０及び照明保持部２１０への連結位置である。吊り下げ部２０が照明装置８１０の照射方向を鉛直下方へ向けるように照明保持部１０と連結されるのに対し、吊り下げ部２２０は照明装置８１０の照射方向を側方（吊り下げ部２２０、または、吊り下げ部材２２１に対して略直角方向）へ向けるように照明保持部２１０と連結される。
【００４０】
以上のことをさらに以下説明する。吊り下げ部２２０は、吊り下げ部材２２１と、連結部材２２２とで構成される。吊り下げ部材２２１及び連結部材２２２は、それぞれ吊り下げ部材２１、及び連結部材２２と同様のものであり、既に説明済みであるため、その説明を省略する。
【００４１】
ただし、吊り下げ部材２２１と連結部材２２２との連結場所は、吊り下げ部材２１と連結部材２２との連結場所とは異なる。すなわち、吊り下げ部材２２１は、照明配置装置２００を所望の位置に吊り下げた際に照明保持部２１０の照明支持面に対して略平行になるように連結部材２２２に取り付ける。図３（ｂ）に示すように、吊り下げ部材２２１は、連結部材２２２の端部に取り付ける。このようにすれば、照明配置装置２００を所望の位置に吊り下げた際に照明装置８１０の照射方向が側方（吊り下げ部２２０、または、吊り下げ部材２２１に対して略直角方向）を向く。
【００４２】
＜４．照明配置装置３００について＞
図４は、本考案の別の実施の形態における照明配置装置３００を示す図である。照明配置装置３００は、照明配置装置２００を３段接続した態様のものである。照明配置装置２００同士の接続態様として、図４に示すように、下側に配置される照明配置装置２００の吊り下げ部材２２１を上側に配置される照明配置装置２００の連結部材２２２の下端部に取り付ける態様が一例として挙げられるが、その他の接続態様であってもよい。
【００４３】
図５は、照明配置装置３００を植物７００へ用いた様子を示す図である。照明配置装置３００は、図５に示すように、植物７００から生える葉の高さ毎に、ほぼ同じ高さに照明装置８１０を配置している。このようにすれば、植物７００全体に対して同量の光を照射することができる。
【００４４】
＜５．照明配置装置４００について＞
図６は、本考案の別の実施の形態における照明配置装置４００を示す図である。照明配置装置４００は、照明配置装置１００と同様の構成にさらに、吊り下げ部２０の長さを調整する長さ調整機能を有する長さ調整部４２３を付加したものである。以下において照明配置装置４００における長さ調整部４２３について説明する。
【００４５】
照明配置装置４００は、上記説明したように、吊り下げ部２０に長さ調整部４２３を設けたものである。図６において長さ調整部４２３は、吊り下げ部２０の他端に設けられているが、これに限るものでなく、その他の位置に設けられてもよい。長さ調整部４２３の具体的態様として、リトラクタブル方式の長さ調整機構を有するものが一例として挙げられる。
【００４６】
リトラクタブル方式の長さ調整機構とは、吊り下げ部材２１を巻き取る機構と、ロック機構とで構成される。巻き取る機構は、例えば、巻取り部分に渦巻きバネを設けたスプールのような部材で構成される。吊り下げ部材２１は渦巻きバネの周囲に巻かれる。吊り下げ部材２１を下へ引っ張ると渦巻きバネの付勢力により吊り下げ部材２１は、巻き取られる方向へ力が働く。渦巻きバネの付勢力を利用して吊り下げ部材２１は巻き取り・巻き出し動作により伸縮可能である。また、ロック機構は、渦巻きバネの付勢力を制限するものである。ロック機構におけるロック解除は、渦巻きバネの付勢力を制限している状態において吊り下げ部材２１を一旦引っ張ることによりロック解除させる態様が挙げられる。そして、吊り下げ部材２１を所望の位置に伸縮させて吊り下げ部材２１を停止させると、ロック機構はロックして吊り下げ部材２１をその停止位置で停止させる。
【００４７】
＜６．照明配置装置５００について＞
図７は、本考案の別の実施の形態における照明配置装置５００を示す図である。照明配置装置５００も照明配置装置４００と同様に、照明配置装置１００と同様の構成にさらに、吊り下げ部２０の長さを調整する長さ調整機能を有する長さ調整部５２３を付加したものである。そして、照明配置装置５００は、照明配置装置４００とは別の長さ調整機能を付加したものである。以下において照明配置装置５００における長さ調整部５２３について説明する。
【００４８】
照明配置装置５００は、上記説明したように、吊り下げ部２０に長さ調整部５２３を設けたものである。長さ調整部５２３は、図７において吊り下げ部２０の他端に設けられているが、これに限るものでなく、その他の位置に設けられてもよい。
【００４９】
長さ調整部５２３の具体的態様として、例えば、回転軸５２３ａを回転軸として各吊り下げ部２０に設けられたスプール部５２３ｂが一例として挙げられる。このスプール部５２３ｂには、吊り下げ部材２１が巻きつけられる。そして、回転軸５２３ａの端部には、例えば、モータ５２３ｃが取り付けられる。モータ５２３ｃの回転により回転軸５２３ａを通じてスプール部５２３ｂが回転する。これにより、吊り下げ部材２１がスプール部５２３ｂに巻き取り・巻き出しされることにより伸縮して吊り下げ部材２１の長さが調整される。なお、モータ５２３ｃの代わりに、巻取りハンドルを手動で回転させることにより上記と同様に回転軸５２３ａを回転させる手動ハンドル回転装置を用いてもよい。
【００５０】
＜７．照明配置装置６００について＞
図８は、本考案の別の実施の形態における照明配置装置６００を示す図である。図８（ａ）は、照明装置８２０を照明配置装置６００に取り付ける直前の様子を示す図である。また、図８（ｂ）は、照明装置８２０を照明配置装置６００に取り付けた様子を示す図である。
【００５１】
＜７−１．照明装置８２０について＞
まず、照明装置８２０について説明する。照明装置８２０は、図８（ａ）に示すように、いわゆるバータイプの照明装置である。照明装置８２０は、直方体カバー８２１の内部に照明部８２２が収められたものである。照明部８２２は、例えば、直方体カバー８２１の長手方向にＬＥＤ８２３がほぼ等間隔で配置された基板回路８２４により構成される。
【００５２】
＜７−２．照明配置装置６００の構成について＞
照明配置装置６００は、照明装置８２０を所望の位置に配置させるものである。そして、照明配置装置６００は、主として上記のようなタイプの照明装置を対象にしたものであるが、照明装置８１０にも適用可能である。照明配置装置６００は、照明保持部６１０と、吊り下げ部６２０とを備える。吊り下げ部６２０は、上記説明した照明配置装置１００〜５００までのいずれかの態様を採用することができる。
【００５３】
＜７−３．照明保持部６１０について＞
照明保持部６１０は、照明装置８２０を保持するものであるが、照明配置装置１００〜５００までのものとは保持態様が異なる。すなわち、照明保持部６１０は、照明装置８２０の長手方向外周面を覆うことにより、照明装置８２０を保持するものである。ただし、照明装置８２０の長手方向外周面のうちＬＥＤ８２３の列、及びその周辺は覆わず開放状態にする。ＬＥＤ８２３の照射を遮らないためである。
【００５４】
具体的に、照明保持部６１０は、図８（ａ）に示すように、例えば、少なくとも照明装置８２０の長手方向の外周面を囲み、その外周面の一部が開放された筒形状の筒部材が想定される。筒形状は、照明装置の形状に合わせて様々な形状にすることができる。図８（ａ）の矢印Ｂに示すように、照明保持部６１０の端面開口６１１から照明装置８２０を照明保持部６１０へ挿入することにより照明装置８２０を照明保持部６１０に保持させることができる。図８（ｂ）に示すように、挿入後に、照明装置８２０のＬＥＤ８２３の列、及びその周辺が、照明保持部６１０の開放された外周面の一部分６１２と重なる位置に配置されるようにする。なお、筒部材の内周の大きさは、照明装置８２０がちょうど収まる大きさであってもよいし、照明装置８２０を筒部材内部に収めた際に遊びがある大きさであってもよい。
【００５５】
＜８．照明配置装置の他の態様の照明装置への適用について＞
図９は、照明装置８３０を照明配置装置１００、及び照明配置装置６００に取り付けた様子を示す図である。図９（ａ）は、照明装置８３０を示す図である。図９（ｂ）は、照明装置８３０を照明配置装置１００に取り付けた様子を示す図である。図９（ｃ）は、照明装置８３０を照明配置装置６００に取り付けた様子を示す図である。
【００５６】
＜８−１．照明装置８３０について＞
照明装置８３０は、図９（ａ）に示すように、テープ状の制御基盤にＬＥＤを等間隔に配置させたものである。なお、照明装置８３０は、ＬＥＤは、不等間隔、または、等間隔及び不等間隔が混在した配置であってもよい。テープ状の制御基盤は、フレキシブルな素材により構成される。そして、テープ状の制御基盤は、例えば、幅が１（ｃｍ）で、厚さが１（ｍｍ）のような態様が一例として挙げられる。
【００５７】
＜８−２．照明配置装置１００の照明装置８３０への適用について＞
上記のような照明装置８３０は、図９（ｂ）に示すように、照明配置装置１００に取り付けることができる。これについて以下説明する。板状部材１１ａの長手方向に沿って照明装置８３０の背面（ＬＥＤからの照射がない側の平面）を照明支持面１１ｂ上で支持又は接触させる。これにより、照明装置８３０は板状部材１１ａに沿った態様になる。また、フック部材１３は、照明装置８３０における隣り合う照明の間部分と係合可能である。すなわち、照明装置８３０における隣り合う照明の間部分をフック部材１３に係合させて、フック部材１３を板状部材１１ａへ向かって塑性変形させると、照明装置８３０における隣り合う照明の間部分は、フック部材１３と板状部材１１ａとに挟み込まれた状態になる。これにより、照明装置８３０は、板状部材１１ａに固定される。なお、照明装置８２０も上記照明装置８３０と同様に照明配置装置１００に取り付けることができる。
【００５８】
＜８−３．照明配置装置６００の照明装置８３０への適用について＞
また、上記のような照明装置８３０は、図９（ｃ）に示すように、照明配置装置６００に取り付けることができる。照明装置８３０は、いわゆるバータイプの照明装置である照明装置８２０をフレキシブルかつ薄型化したものである。したがって、照明装置８３０の照明配置装置６００への取り付け態様は、図８を用いてした説明において照明装置８２０を照明装置８３０と置き換えれば、説明可能であるため、その説明を省略する。
【００５９】
以上において、照明配置装置１００〜６００は、照明装置８１０〜８３０を鉛直方向、及び、鉛直方向と直角な方向へ向けることを想定して説明したが、本考案はこれに限るもではない。吊り下げ部材で所望の位置から照明保持部を吊り下げた場合、照明装置８１０〜８３０を上記説明した以外の様々な方向へ向けるようにすることも本考案の範囲に含まれる。この場合、例えば、基材部１１を錐体形状や錐台形状等の斜面がある形状の部材として、斜面部分に照明装置８１０を沿わせる。そして、吊り下げ部材で所望の位置から照明保持部を吊り下げた場合、その斜面部分と吊り下げ部材とが、所定の角度（０度、９０度、１８０度、２７０度を除く角度）を成すように、吊り下げ部材を照明保持部と連結させればよい。このようなものも本考案の範囲に含まれる。
【００６０】
また、以上のような照明配置装置１００〜６００を備えたビニルハウス９００等の植物栽培室を植物栽培装置として捉えたものも本考案に含まれる。
【００６１】
尚、本考案の照明配置装置は、上記説明した実施の形態に限定されるものではなく、本考案の要旨を逸脱しない範囲内において種々変更を加え得ることは勿論である。
【符号の説明】
【００６２】
１００、２００、３００、４００、５００、６００  照明配置装置
１０、２１０、６１０  照明保持部
１１  基材部
１１ａ  板状部材
１１ｂ  照明支持面
１１ｃ  照明支持裏面
１２  固定部
１３  フック部材
２０、２２０、６２０  吊り下げ部
２１、２２１  吊り下げ部材
２２、２２２  連結部材
４２３、５２３  長さ調整部
５２３ａ  回転軸
５２３ｂ  スプール部
５２３ｃ  モータ
７００  植物
８１０、８２０、８３０  照明装置
９００  ビニルハウス
９１０  ワイヤ
【図１】
0003201212.tif 000003
【図２】
0003201212.tif 000004
【図３】
0003201212.tif 000005
【図４】
0003201212.tif 000006
【図５】
0003201212.tif 000007
【図６】
0003201212.tif 000008
【図７】
0003201212.tif 000009
【図８】
0003201212.tif 000010
【図９】
0003201212.tif 000011